【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
全てが、少なくとも一つの区別できない非短寿命商品を有する取引をサポートする認証されたクライアント群に属している、少なくとも、第一のアクティブ認証されたクライアントと、第二のアクティブ認証されたクライアントと、市場メーカが認証したクライアントと、相互に対話するシステムであって、
少なくとも、当該第一のアクティブ認証されたクライアントと、当該第二のアクティブ認証されたクライアントと、当該市場メーカにより認証されたクライアントと相互に対話し、かつこのコンピュータ・システムに含まれる、少なくとも一つのコンピュータにアクセスできるように結合されたメモリ内に含まれるプログラム・ステップを有する、少なくとも一つのプログラム・システムにより制御されるコンピューティング・システムを有し、かつ、
製品タイプのマクロ市場インターバルが、当該製品タイプのソース市場インターバルを参照し、かつ当該製品タイプの配送市場インターバルを、当該製品タイプのトランスファ市場インターバルと共に、参照し、
当該トランスファ市場インターバルが、当該ソース市場インターバルに対するタイム・インターバル付近で始まる、タイム・インターバルを含み、かつ当該タイム・インターバルが、当該配送市場インターバルのタイム・インターバル付近で終わり、
当該プログラム・システムが、
当該マクロ市場およびソース市場インターバル、および当該配送市場インターバルおよび当該配送市場インターバルの観点から、当該アクティブ認証されたクライアントと相互に対話して、コミットメントを作成する仮想立会場を演算するプログラム・ステップと、
当該認証されたクライアント群に属する、少なくとも一人の当該認証されたクライアントに対する、当該コミットメントに基づいて、少なくとも一つのスケジュールを提供するスケジューリング・エンジンを演算するプログラム・ステップとを有し、
当該スケジューリング・エンジンを演算するプログラム・ステップが、当該認証されたクライアント群に属する各当該認証されたクライアントに対して、さらに、
当該コミットメントに関して、当該認証されたクライアントに対して、スケジューリング・コミットメント・アクセス要求を送るプログラム・ステップと、
当該コミットメントに基づいて、当該スケジューリング・コミットメント・アクセス要求に応答して、スケジューリング・コミットメント報告を受領し、当該認証されたクライアントに対する受領スケジューリング・コミットメント報告を作成するプログラム・ステップと、
受領スケジューリング・コミットメント・アクセス報告がスケジューリングを要求するコミットメントを参照する時には常に、当該認証されたクライアントに対する受領スケジューリング・コミットメント報告に基づき、当該認証されたクライアントに対する当該スケジュールを生成するプログラム・ステップとを有し、
当該仮想立会場を演算するプログラム・ステップが、
少なくとも、ソース市場インターバルと、当該配送市場インターバルの市場インターバル群と、当該トランスファ市場インターバルとを維持するプログラム・ステップと、
当該マクロ市場インターバルの少なくとも一つと関連する、少なくとも一つの有効オーダの有効オーダ群を維持するプログラム・ステップと、
コミットメントリストに追加されるべき合意された契約を作成する契約を行うステップであって、前記合意された契約が、有効オーダ群の少なくとも二つの有効オーダに基づいているプログラム・ステップとを有する、
システム。
【請求項２】
当該プログラム・システムが、さらに、当該認証されたクライアント群に基づき、当該アクティブ認証されたクライアントを生成するログインプロセスを提供するプログラム・ステップを有する請求項1のシステム。
【請求項３】
当該プログラム・システムが、さらに、
少なくとも二人のクライアントと通信するウエッブ・サイトを維持し、かつ、
さらに、当該クライアントと相互対話する、当該仮想立会場を用いて、市場ウインドウを維持するプログラム・ステップと、
当該スケジューリング・エンジンと相互対話する当該クライアントに対してスケジュラー・ウインドウを提供するプログラム・ステップとを有する、
プログラム・ステップ群の内の少なくとも一つを有する、
プログラム・ステップを有する請求項1のシステム。
【請求項４】
当該スケジューリング・エンジンを演算するプログラム・ステップが、さらに、当該市場エンジンと相互対話することにより容量オプション要求を処理するプログラム・ステップを有する請求項1のシステム。
【請求項５】
当該容量オプション要求を処理するプログラム・ステップが、さらに、
オペレータの承認を有する当該第一のアクティブ認証されたクライアントから当該容量オプション要求を受領して、当該第一のアクティブ認証されたクライアントから受領された容量オプション要求を作成するプログラム・ステップと、
当該受領された容量オプション要求に基づいて当該有効オーダ群にアクセスし、当該受領された容量オプション要求とマッチングする当該有効オーダ群に含まれる各当該有効オーダへの参照を含む、容量オプション・オファ・リストを作成するプログラム・ステップと、
当該容量オプション・オファ・リストを処理するプログラム・ステップとを、
有する請求項4のシステム。
【請求項６】
当該容量オファ・リストを処理するプログラム・ステップが、さらに、当該第一のアクティブ認証されたクライアントに、当該容量オファ・リストを提示するプログラム・ステップを有する請求項5のシステム。
【請求項７】
当該受領された容量オプション要求が、市場インターバルを含み、かつ希望売値-リミット量を含み、かつ希望売値-リミット価格を有し、
当該容量オファ・リストを処理するプログラム・ステップが、さらに、
当該市場インターバルと、当該希望売値-リミット量と、当該希望売値-リミット価格とに基づいて、当該容量オファ・リストを検査し、受け入れ可能オファ容量リストを作成し、かつ潜在的に適格なオファ容量リストを作成するプログラム・ステップと、
当該希望売値-リミット量と、当該希望売値-リミット価格とに基づき、当該仮想立会場に、当該受け入れ可能オファ容量リストを求め、当該第一のアクティブ認証されたクライアントに対する当該市場インターバルにおける希望売値有効オーダを作成するプログラム・ステップと、
当該受け入れ可能オファ容量リストが当該希望売値-リミット価格をカバーしない時には常に、当該潜在的に適格なオファ容量リストを当該第一のアクティブ認証されたクライアントに提示するプログラム・ステップとを、
有する請求項5のシステム。
【請求項８】
当該市場エンジンを演算するプログラム・ステップが、さらに、
当該有効オーダ群に表されている、市場インターバルに対する市場・ポジションを一致させるプログラム・ステップと、
当該有効オーダ群に表されている、市場インターバルに対する市場価格を調整するプログラム・ステップと、
当該有効オーダ群に表されている、市場インターバルに対する市場・エクスポージャーを計算するプログラム・ステップと、
当該有効オーダ群における当該有効オーダを、カレンダーに乗せるプログラム・ステップと、
当該有効オーダ群における当該有効オーダを、取引・データベースに記録するプログラム・ステップとを、
有する請求項1のシステム。
【請求項９】
当該有効オーダを当該取引・データベースに記録するプログラム・ステップが、さらに、
当該認証されたクライアントに関わりかつ当該有効オーダ群の当該市場インターバルを含む全ての有効オーダ群に基づいて、当該認証されたクライアント群中の、各当該認証されたクライアントに対する、当該市場インターバルに対する、契約されたポジションを当該取引・データベースに記録するプログラム・ステップを有する請求項8のシステム。
【請求項１０】
当該有効オーダを当該取引・データベースに記録するプログラム・ステップが、さらに、
当該有効オーダ群に当該市場インターバルを有する全有効オーダに基づいて、市場インターバルに対する当該市場価格を、当該取引・データベースに記録するプログラム・ステップと、
当該有効オーダ群に当該市場インターバルを有する全有効オーダに基づいて、市場インターバルに対する市場量を、当該取引・データベースに記録するプログラム・ステップと、
当該有効オーダ群に当該市場インターバルを含み当該認証されたクライアントを有する全有効オーダに基づいて、当該認証されたクライアント群中の各当該認証されたクライアントに対する市場インターバルに対するマージナル・フィナンシャル・エクスポージャーを、当該取引・データベースに記録するプログラム・ステップとを、
有するプログラム・ステップ群の内の少なくとも一つのプログラム・ステップを有する請求項9のシステム。
【請求項１１】
当該市場インターバル群を維持するプログラム・ステップが、さらに、
トランスファ・タイム・インターバル内で、当該ソース市場インターバルから当該配送市場インターバルまでの、当該製品タイプに対する当該アクティブ認証されたクライアントからの要求に基づいて、当該マクロ市場インターバルを作成するプログラム・ステップを有し、
当該マクロ市場インターバルを作成するプログラム・ステップが、さらに、
当該トランスファ・タイム・インターバル内で、当該ソース市場から当該配送市場へ、当該製品タイプに対するトランスファ・インターバル要求を当該市場メーカにより認証されたクライアントに送り、トランスファ市場作成要求を作成するプログラム・ステップと、
当該トランスファ市場作成要求に基づいて、当該市場メーカにより認証されたクライアントからトランスファ市場応答を受領するプログラム・ステップと、
当該トランスファ市場応答に基づいて、当該トランスファ市場インターバルを生成するプログラム・ステップと、
当該マクロ市場インターバル中の当該トランスファ市場インターバルを参照するプログラム・ステップとを、
有する請求項1のシステム。
【請求項１２】
全てが認証されたクライアント群に含まれる、少なくとも、第一のアクティブ認証されたクライアントと、第二のアクティブ認証されたクライアントと、市場メーカにより認証されたクライアントとの相互対話による、少なくとも一つの区別できない、非短寿命商品に関する取引をサポートする方法であって、
製品タイプに対するマクロ市場インターバルが、当該製品タイプのソース市場インターバルを参照し、かつ当該製品タイプのトランスファ市場インターバルと共に、当該製品タイプの配送市場インターバルを参照し、
当該トランスファ市場インターバルが、当該ソース市場インターバルに対するタイム・インターバル付近で始まる、タイム・インターバルを含み、かつ当該タイム・インターバルが、当該配送市場インターバルのタイム・インターバル付近で終わり、
当該方法が、
当該マクロ市場およびソース市場インターバル、および当該配送市場インターバルおよび当該配送市場インターバルの観点から、当該アクティブ認証されたクライアントと相互対話して、当該コミットメントを作成する仮想立会場を演算するステップと、
当該コミットメントに基づいて、当該認証されたクライアント群に属する少なくとも一人の当該認証されたクライアントに対して、少なくとも一つのスケジュールを供給するスケジューリング・エンジンを演算するステップとを、
有し、
当該スケジューリング・エンジンを演算するステップが、当該認証されたクライアント群に属する各当該認証されたクライアントに対して、さらに、
当該コミットメントに関して、当該認証されたクライアントにスケジューリング・コミットメント・アクセス要求を送るステップと、
当該コミットメントに基づく、当該スケジューリング・コミットメント・アクセス要求に応じて、スケジューリング・コミットメント報告を受領し、当該認証されたクライアントに対して前記受け取ったスケジューリング・コミットメント報告を作成するステップと、
前記受け取った当該スケジューリング・コミットメント・アクセス報告が、スケジューリングを必要とするコミットメントを参照する時には常に、当該認証されたクライアントに対する前記受け取ったスケジューリング・コミットメント報告に基づいて、当該認証されたクライアントに対して当該スケジュールを生成するステップとを
有し、
当該仮想立会場を演算するステップが、
少なくとも、当該マクロ市場インターバル、当該ソース市場インターバル、および当該配送市場インターバル、および当該トランスファ市場インターバルの市場インターバル群を維持するステップと、
少なくとも一つの当該マクロ市場インターバルと関連した、少なくとも一つの有効オーダの、有効オーダ群を維持するステップと、
コミットメントリストに追加されるべき合意された契約を作成するステップであって、前記合意された契約が、前記有効オーダ群の少なくとも二つの有効オーダに基づいているステップとを、
有する方法。
【請求項１３】
当該認証されたクライアント群に基づいて、当該アクティブ認証されたクライアントを作成するログイン・プロセスを提供するステップを、さらに、有する請求項12の方法。
【請求項１４】
当該方法が、さらに、
少なくとも二人のクライアントと通信するウエッブ・サイトを維持し、かつ、
さらに、当該クライアントと相互対話する、当該仮想立会場を用いて、市場ウインドウを維持するステップと、
当該スケジューリング・エンジンと相互対話する当該クライアントに対してスケジュラー・ウインドウを提供するステップとを有する、
ステップ群の内の少なくとも一つを有する、
プログラム・ステップを有する請求項12の方法。
【請求項１５】
当該スケジューリングエンジンを演算するステップが、さらに、当該市場エンジンと相互対話して、容量オプション要求を処理するステップを有する請求項12の方法
【請求項１６】
当該容量オプション要求を処理するステップが、さらに、
オペレータの承認を有する当該第一のアクティブ認証されたクライアントから当該容量オプション要求を受領して、当該第一のアクティブ認証されたクライアントから受領された容量オプション要求を作成するステップと、
当該受領された容量オプション要求に基づいて当該有効オーダ群にアクセスし、当該受領された容量オプション要求とマッチングする当該有効オーダ群に含まれる各当該有効オーダへの参照を含む、容量オプション・オファ・リストを作成するステップと、
当該容量オプション・オファ・リストを処理するステップとを、
有する請求項15の方法。
【請求項１７】
当該容量オファ・リストを処理するステップが、さらに、当該容量オファ・リストを当該第一のアクティブ認証されたクライアントに提示するステップを有する請求項16の方法。
【請求項１８】
当該受領された容量オプション要求が、市場インターバルを含み、かつ希望売値-リミット量を含み、かつ希望売値-リミット価格を有し、
当該容量オファ・リストを処理するステップが、さらに、
当該市場インターバルと、当該希望売値-リミット量と、当該希望売値-リミット価格とに基づいて、当該容量オファ・リストを検査し、受け入れ可能オファ容量リストを作成し、かつ潜在的に適格なオファ容量リストを作成するステップと、
当該希望売値-リミット量と、当該希望売値-リミット価格とに基づき、当該仮想立会場に、当該受け入れ可能オファ容量リストを求め、当該第一のアクティブ認証されたクライアントに対する当該市場インターバルにおける希望売値有効オーダを作成するステップと、
当該受け入れ可能オファ容量リストが当該希望売値-リミット価格をカバーしない時には常に、当該潜在的に適格なオファ容量リストを当該第一のアクティブ認証されたクライアントに提示するステップとを、
有する請求項16の方法。
【請求項１９】
当該市場エンジンを演算するステップが、さらに、
当該有効オーダ群に表されている、市場インターバルに対する、市場・ポジションを一致させるステップと、
当該有効オーダ群に表されている、市場インターバルに対する、市場価格を調整するステップと、
当該有効オーダ群に表されている、市場インターバルに対する、市場・エクスポージャーを計算するステップと、
当該有効オーダ群における、当該有効オーダをカレンダーに乗せるステップと、
当該有効オーダ群における、当該有効オーダを取引・データベースに記録するステップとを、
有する請求項12の方法。
【請求項２０】
当該有効オーダを当該取引・データベースに記録するステップが、さらに、
当該認証されたクライアントに関わりかつ当該有効オーダ群の当該市場インターバルを有する、全ての有効オーダ群に基づいて、当該認証されたクライアント群中の各当該認証されたクライアントに対する、当該市場インターバルに対する、契約されたポジションを当該取引・データベースに記録するステップを有する請求項19の方法。
【請求項２１】
当該有効オーダを当該取引・データベースに記録するステップが、さらに、
当該有効オーダ群に当該市場インターバルを有する全有効オーダに基づいて、市場インターバルに対する当該市場価格を、当該取引・データベースに記録するステップと、
当該有効オーダ群に当該市場インターバルを有する全有効オーダに基づいて、市場インターバルに対する市場量を、当該取引・データベースに記録するステップと、
当該有効オーダ群に当該市場インターバルを含み当該認証されたクライアントを有する全有効オーダに基づいて、当該認証されたクライアント群中の各当該認証されたクライアントに対する市場インターバルに対するマージナル・フィナンシャル・エクスポージャーを、当該取引・データベースに記録するステップとを、
有するプログラム・ステップ群の内の少なくとも一つのステップを有する請求項20のシステム。
【請求項２２】
当該市場インターバル群を維持するステップが、さらに、
トランスファ・タイム・インターバル内で、当該ソース市場インターバルから当該配送市場インターバルまでの、当該製品タイプに対する当該アクティブ認証されたクライアントからの要求に基づいて、当該マクロ市場インターバルを作成するステップを有し、
当該マクロ市場インターバルを作成するステップが、さらに、
当該トランスファ・タイム・インターバル内で、当該ソース市場から当該配送市場へ、当該製品タイプに対するトランスファ・インターバル要求を当該市場メーカにより認証されたクライアントに送り、トランスファ市場作成要求を作成するステップと、
当該トランスファ市場作成要求に基づいて、当該市場メーカにより認証されたクライアントからトランスファ市場応答を受領するステップと、
当該トランスファ市場応答に基づいて、当該トランスファ市場インターバルを生成するステップと、
当該マクロ市場インターバル中の当該トランスファ市場インターバルを参照するステップとを、
有する請求項12の方法。
【請求項２３】
全て認証されたクライアント群に含まれる、少なくとも第一のアクティブ認証されたクライアント、第二のアクティブ認証されたクライアント、そして、市場メーカにより認証されたクライアント間の相互対話を通して、少なくとも一つの区別できない、非短寿命商品に関する取引をサポートする方法であって、
製品タイプに対する、マクロ市場インターバルが、当該製品タイプのソース市場インターバルを参照し、かつ当該製品タイプのトランスファ市場インターバルと共に、当該製品タイプの配送市場インターバルを参照し、
当該トランスファ市場インターバルが、当該ソース市場インターバルに対するタイム・インターバル付近で始まる、タイム・インターバルを含み、かつ当該タイム・インターバルが、当該配送市場インターバルのタイム・インターバル付近で終わり、
当該方法が、
当該マクロ市場およびソース市場インターバル、および当該配送市場および当該した配送市場インターバルの観点から、当該アクティブ認証されたクライアントと相互対話して、当該コミットメントを作成する仮想立会場を演算するステップを有し、
当該仮想立会場を演算するステップが、
少なくとも、当該マクロ市場インターバル、当該ソース市場インターバル、および当該配送市場インターバル、および当該トランスファ市場インターバルの市場インターバル群を維持するステップと、
少なくとも一つの当該マクロ市場インターバルと関連した、少なくとも一つの有効オーダの、有効オーダ群を維持するステップと、
コミットメントリストに追加されるべき合意された契約を作成するステップであって、前記合意された契約が、前記有効オーダ群の少なくとも二つの有効オーダに基づいているステップとを、
有する方法。
【請求項２４】
当該認証されたクライアント群に基づいて、当該アクティブ認証されたクライアントを作成するログイン・プロセスを提供するステップを、さらに、有する請求項23の方法。
【請求項２５】
当該方法が、さらに、
少なくとも二人のクライアントと通信するウエッブ・サイトを維持し、かつ、
さらに、当該クライアントと相互対話する、当該仮想立会場を用いて、市場ウインドウを維持するステップを有する請求項23の方法。
【請求項２６】
当該市場エンジンを演算するステップが、さらに、
当該有効オーダ群に表されている、市場インターバルに対する、市場・ポジションを一致させるステップと、
当該有効オーダ群に表されている、市場インターバルに対する、市場価格を調整するステップと、
当該有効オーダ群に表されている、市場インターバルに対する、市場・エクスポージャーを計算するステップと、
当該有効オーダ群における、当該有効オーダをカレンダーに乗せるステップと、
当該有効オーダ群における、当該有効オーダを取引・データベースに記録するステップとを、
有する請求項23の方法。
【請求項２７】
当該有効オーダを、当該取引データベースに記録する前記ステップが、さらに、当該認証されたクライアントに関わりかつ当該有効オーダ群の当該市場インターバルを含む全ての有効オーダ群に基づいて、当該認証されたクライアント群中の各当該認証されたクライアントに対する、当該市場インターバルに対する契約されたポジションを、当該取引データベースに記録するステップ、
を有する、請求項26の方法。
【請求項２８】
当該有効オーダを当該取引・データベースに記録するステップは、さらに、
当該有効オーダ群に当該市場インターバルを有する全有効オーダに基づいて、市場インターバルに対する当該市場価格を、当該取引・データベースに記録するステップと、
当該有効オーダ群に当該市場インターバルを有する全有効オーダに基づいて、市場インターバルに対する市場量を、当該取引・データベースに記録するステップと、
当該有効オーダ群に当該市場インターバルを含み当該認証されたクライアントを有する全有効オーダに基づいて、当該認証されたクライアント群中の各当該認証されたクライアントに対する市場インターバルに対するマージナル・フィナンシャル・エクスポージャーを、当該取引・データベースに記録するステップとを、
有するステップ群の内の少なくとも一つのステップを有する請求項28の方法。
【請求項２９】
当該市場インターバル群を維持するステップが、さらに、
トランスファ・タイム・インターバル内で、当該ソース市場インターバルから当該配送市場インターバルまでの、当該製品タイプに対する当該アクティブ認証されたクライアントからの要求に基づいて、当該マクロ市場インターバルを作成するステップを有し、
当該マクロ市場インターバルを作成するステップが、さらに、
当該トランスファ・タイム・インターバル内で、当該ソース市場から当該配送市場へ、当該製品タイプに対するトランスファ・インターバル要求を当該市場メーカにより認証されたクライアントに送り、トランスファ市場作成要求を作成するステップと、
当該トランスファ市場作成要求に基づいて、当該市場メーカにより認証されたクライアントからトランスファ市場応答を受領するステップと、
当該トランスファ市場応答に基づいて、当該トランスファ市場インターバルを生成するステップと、
当該マクロ市場インターバル中の当該トランスファ市場インターバルを参照するステップとを、
有する請求項23の方法。
【請求項３０】
全てが認証されたクライアント群に含まれる、少なくとも、第一のアクティブ認証されたクライアントと、第二のアクティブ認証されたクライアントと、市場メーカにより認証されたクライアントとの相互対話による、少なくとも一つの区別できない、非短寿命商品に関する取引をサポートする方法であって、
製品タイプに対するマクロ市場インターバルが、当該製品タイプのソース市場インターバルを参照し、かつ当該製品タイプのトランスファ市場インターバルと共に、当該製品タイプの配送市場インターバルを参照し、
当該方法が、
当該マクロ市場およびソース市場インターバル、および当該配送市場および当該した配送市場インターバルの観点から、当該アクティブ認証されたクライアントと相互対話して、当該コミットメントを作成する仮想立会場を演算するステップと、
当該コミットメントに基づいて、当該認証されたクライアント群に属する少なくとも一人の当該認証されたクライアントに対して、少なくとも一つのスケジュールを供給するスケジューリング・エンジンを演算するステップとを、
有し、
当該スケジューリング・エンジンを演算するステップが、当該認証されたクライアント群に属する各当該認証されたクライアントに対して、さらに、
当該コミットメントに関して、当該認証されたクライアントにスケジューリング・コミットメント・アクセス要求を送るステップと、
当該コミットメントに基づく、当該スケジューリング・コミットメント・アクセス要求に応じて、スケジューリング・コミットメント報告を受領し、当該認証されたクライアントに対して前記受け取ったスケジューリング・コミットメント報告を作成するステップと、
前記受け取った当該スケジューリング・コミットメント・アクセス報告が、スケジューリングを必要とするコミットメントを参照する時には常に、当該認証されたクライアントに対する前記受け取ったスケジューリング・コミットメント報告に基づいて、当該認証されたクライアントに対して当該スケジュールを生成するステップとを
有し、
当該仮想立会場を演算するステップが、
少なくとも、当該マクロ市場インターバル、当該ソース市場インターバル、および当該配送市場インターバル、および当該トランスファ市場インターバルの市場インターバル群を維持するステップと、
少なくとも一つの当該マクロ市場インターバルと関連した、少なくとも一つの有効オーダの、有効オーダ群を維持するステップと、
コミットメントリストに追加されるべき合意された契約を作成するステップであって、前記合意された契約が、前記有効オーダ群の少なくとも二つの有効オーダに基づいているステップとを、
有する方法。
【請求項３１】
当該認証されたクライアント群に基づいて、当該アクティブ認証されたクライアントを生成する、ログインプロセスを提供するステップを、さらに、有する請求項30の方法。
【請求項３２】
少なくとも二人のクライアントとのウエッブ・サイト通信を維持するステップを有し、かつさらに、
当該クライアントと相互対話して、当該仮想立会場を用いて、市場ウインドウを維持するステップと、
当該クライアントに対して、スケジュラー・ウインドウを提供し、当該スケジューリング・エンジンと相互対話するステップとを、
有するプログラム・ステップ群の少なくとも一つを有するステップを、さらに、有する請求項30の方法。
【請求項３３】
当該スケジューリング・エンジンを演算するステップが、さらに、当該市場エンジンと相互対話して、容量オプション要求を処理するステップを有する請求項30の方法。
【請求項３４】
当該容量オプション要求を処理するステップが、さらに、
オペレータの承認を有する当該第一のアクティブ認証されたクライアントから当該容量オプション要求を受領して、当該第一のアクティブ認証されたクライアントから受領された容量オプション要求を作成するステップと、
当該受領された容量オプション要求に基づいて当該有効オーダ群にアクセスし、当該受領された容量オプション要求とマッチングする当該有効オーダ群に含まれる各当該有効オーダへの参照を含む、容量オプション・オファ・リストを作成するステップと、
当該容量オプション・オファ・リストを処理するステップとを、
有する請求項33の方法。
【請求項３５】
当該容量オファ・リストを処理するステップが、さらに、当該第一のアクティブ認証されたクライアントに、当該容量オファ・リストを提示するステップを有する請求項34の方法。
【請求項３６】
当該受領された容量オプション要求が、市場インターバルを含み、かつ希望売値-リミット量を含み、かつ希望売値-リミット価格を有し、
当該容量オファ・リストを処理するステップが、さらに、
当該市場インターバルと、当該希望売値-リミット量と、当該希望売値-リミット価格とに基づいて、当該容量オファ・リストを検査し、受け入れ可能オファ容量リストを作成し、かつ潜在的に適格なオファ容量リストを作成するステップと、
当該希望売値-リミット量と、当該希望売値-リミット価格とに基づき、当該仮想立会場に、当該受け入れ可能オファ容量リストを求め、当該第一のアクティブ認証されたクライアントに対する当該市場インターバルにおける希望売値有効オーダを作成するステップと、
当該受け入れ可能オファ容量リストが当該希望売値-リミット価格をカバーしない時には常に、当該潜在的に適格なオファ容量リストを当該第一のアクティブ認証されたクライアントに提示するステップとを、
有する請求項34の方法。
【請求項３７】
当該市場エンジンを演算するステップが、さらに、
当該有効オーダ群に表されている、市場インターバルに対する、市場・ポジションを一致させるステップと、
当該有効オーダ群に表されている、市場インターバルに対する、市場価格を調整するステップと、
当該有効オーダ群に表されている、市場インターバルに対する、市場・エクスポージャーを計算するステップと、
当該有効オーダ群における、当該有効オーダをカレンダーに乗せるステップと、
当該有効オーダ群における、当該有効オーダを取引・データベースに記録するステップとを、
有する請求項30の方法。
【請求項３８】
当該有効オーダを当該取引・データベースに記録するステップが、さらに、
当該認証されたクライアントに関わりかつ当該有効オーダ群の当該市場インターバルを有する、全ての有効オーダ群に基づいて、当該認証されたクライアント群中の各当該認証されたクライアントに対する、当該市場インターバルに対する、契約されたポジションを当該取引・データベースに記録するステップを有する請求項37の方法。
【請求項３９】
当該有効オーダを当該取引・データベースに記録するステップが、さらに、
当該有効オーダ群に当該市場インターバルを有する全有効オーダに基づいて、市場インターバルに対する当該市場価格を、当該取引・データベースに記録するステップと、
当該有効オーダ群に当該市場インターバルを有する全有効オーダに基づいて、市場インターバルに対する市場量を、当該取引・データベースに記録するステップと、
当該有効オーダ群に当該市場インターバルを含み当該認証されたクライアントを有する全有効オーダに基づいて、当該認証されたクライアント群中の各当該認証されたクライアントに対する市場インターバルに対するマージナル・フィナンシャル・エクスポージャーを、当該取引・データベースに記録するステップとを、
有するプログラム・ステップ群の内の少なくとも一つのステップを有する請求項38のシステム。
【請求項４０】
当該市場インターバル群を維持するステップが、さらに、
トランスファ・タイム・インターバル内で、当該ソース市場インターバルから当該配送市場インターバルまでの、当該製品タイプに対する当該アクティブ認証されたクライアントからの要求に基づいて、当該マクロ市場インターバルを作成するステップを有し、
当該マクロ市場インターバルを作成するステップが、さらに、
当該トランスファ・タイム・インターバル内で、当該ソース市場から当該配送市場へ、当該製品タイプに対するトランスファ・インターバル要求を当該市場メーカにより認証されたクライアントに送り、トランスファ市場作成要求を作成するステップと、
当該トランスファ市場作成要求に基づいて、当該市場メーカにより認証されたクライアントからトランスファ市場応答を受領するステップと、
当該トランスファ市場応答に基づいて、当該トランスファ市場インターバルを生成するステップと、
当該マクロ市場インターバル中の当該トランスファ市場インターバルを参照するステップとを、
有する請求項30の方法。
【請求項４１】
全てが認証されたクライアント群に含まれる、少なくとも、第一のアクティブ認証されたクライアントと、第二のアクティブ認証されたクライアントと、市場メーカにより認証されたクライアントとの相互対話による、少なくとも一つの区別できない、非短寿命商品に関する取引をサポートする方法であって、
製品タイプに対するマクロ市場インターバルが、当該製品タイプのソース市場インターバルを参照し、かつ当該製品タイプのトランスファ市場インターバルと共に、当該製品タイプの配送市場インターバルを参照し、
当該仮想立会場を演算するステップが、
少なくとも、当該マクロ市場インターバル、当該ソース市場インターバル、および当該配送市場インターバル、および当該トランスファ市場インターバルの市場インターバル群を維持するステップと、
少なくとも一つの当該マクロ市場インターバルと関連した、少なくとも一つの有効オーダの、有効オーダ群を維持するステップと、
コミットメントリストに追加されるべき合意された契約を作成するステップであって、前記合意された契約が、前記有効オーダ群の少なくとも二つの有効オーダに基づいているステップとを、
有する方法。
【請求項４２】
当該認証されたクライアント群に基づいて、当該アクティブ認証されたクライアントを生成する、ログインプロセスを提供するステップを、さらに、有する請求項41の方法。
【請求項４３】
少なくとも二人のクライアントとのウエッブ・サイト通信を維持するステップを有し、かつさらに、当該クライアントと相互対話して、当該仮想立会場を用いて、市場ウインドウを維持するステップとを、さらに、有する請求項41の方法。
【請求項４４】
当該市場エンジンを演算するステップが、さらに、
当該有効オーダ群に表されている、市場インターバルに対する、市場・ポジションを一致させるステップと、
当該有効オーダ群に表されている、市場インターバルに対する、市場価格を調整するステップと、
当該有効オーダ群に表されている、市場インターバルに対する、市場・エクスポージャーを計算するステップと、
当該有効オーダ群における、当該有効オーダをカレンダーに乗せるステップと、
当該有効オーダ群における、当該有効オーダを取引・データベースに記録するステップとを、
有する請求項41の方法。
【請求項４５】
当該有効オーダを当該取引・データベースに記録するステップが、さらに、
当該認証されたクライアントに関わりかつ当該有効オーダ群の当該市場インターバルを有する、全ての有効オーダ群に基づいて、当該認証されたクライアント群中の各当該認証されたクライアントに対する、当該市場インターバルに対する、契約されたポジションを当該取引・データベースに記録するステップを有する請求項44の方法。
【請求項４６】
当該有効オーダを当該取引・データベースに記録するステップが、さらに、
当該有効オーダ群に当該市場インターバルを有する全有効オーダに基づいて、市場インターバルに対する当該市場価格を、当該取引・データベースに記録するステップと、
当該有効オーダ群に当該市場インターバルを有する全有効オーダに基づいて、市場インターバルに対する市場量を、当該取引・データベースに記録するステップと、
当該有効オーダ群に当該市場インターバルを含み当該認証されたクライアントを有する全有効オーダに基づいて、当該認証されたクライアント群中の各当該認証されたクライアントに対する市場インターバルに対するマージナル・フィナンシャル・エクスポージャーを、当該取引・データベースに記録するステップとを、
有するプログラム・ステップ群の内の少なくとも一つのステップを有する請求項45のシステム。
【請求項４７】
当該市場インターバル群を維持するステップが、さらに、
トランスファ・タイム・インターバル内で、当該ソース市場インターバルから当該配送市場インターバルまでの、当該製品タイプに対する当該アクティブ認証されたクライアントからの要求に基づいて、当該マクロ市場インターバルを作成するステップを有し、
当該マクロ市場インターバルを作成するステップが、さらに、
当該トランスファ・タイム・インターバル内で、当該ソース市場から当該配送市場へ、当該製品タイプに対するトランスファ・インターバル要求を当該市場メーカにより認証されたクライアントに送り、トランスファ市場作成要求を作成するステップと、
当該トランスファ市場作成要求に基づいて、当該市場メーカにより認証されたクライアントからトランスファ市場応答を受領するステップと、
当該トランスファ市場応答に基づいて、当該トランスファ市場インターバルを生成するステップと、
当該マクロ市場インターバル中の当該トランスファ市場インターバルを参照するステップとを、
有する請求項41の方法。
【請求項４８】
全てが、少なくとも一つの区別できない非短寿命商品を有する取引をサポートする認証されたクライアント群に属している、少なくとも、第一のアクティブ認証されたクライアントと、第二のアクティブ認証されたクライアントと、市場メーカが認証したクライアントと、相互に対話するシステムであって、
少なくとも、当該第一のアクティブ認証されたクライアントと、当該第二のアクティブ認証されたクライアントと、当該市場メーカにより認証されたクライアントと相互に対話し、かつそのコンピュータ・システムに含まれる、少なくとも一つのコンピュータにアクセスできるように結合されたメモリ内に含まれるプログラム・ステップを有する、少なくとも一つのプログラム・システムにより制御されるコンピューティング・システムを有し、かつ、
製品タイプのマクロ市場インターバルが、当該製品タイプのソース市場インターバルを参照し、かつ当該製品タイプの配送市場インターバルを、当該製品タイプのトランスファ市場インターバルと共に、参照し、
当該プログラム・システムが、
当該マクロ市場およびソース市場インターバル、および当該配送市場インターバルおよび当該配送市場インターバルの観点から、当該アクティブ認証されたクライアントと相互に対話して、コミットメントを作成する仮想立会場を演算するプログラム・ステップを有し、
当該仮想立会場を演算するプログラム・ステップが、
少なくとも、ソース市場インターバルと、当該配送市場インターバルの市場インターバル群と、当該トランスファ市場インターバルとを維持するプログラム・ステップと、
当該マクロ市場インターバルの少なくとも一つと関連する、少なくとも一つの有効オーダの有効オーダ群を維持するプログラム・ステップと、
コミットメントリストに追加されべき合意された契約を作成する契約を行うステップであって、前記合意された契約が、有効オーダ群の少なくとも二つの有効オーダに基づいているプログラム・ステップとを有する、
システム。
【請求項４９】
当該プログラム・システムが、さらに、当該認証されたクライアント群に基づき、当該アクティブ認証されたクライアントを生成するログインプロセスを提供するプログラム・ステップを有する請求項48のシステム。
【請求項５０】
当該プログラム・システムが、さらに、
少なくとも二人のクライアントと通信するウエッブ・サイトを維持し、かつ、
さらに、当該クライアントと相互対話する、当該仮想立会場を用いて、市場ウインドウを維持するプログラム・ステップを有する請求項48のシステム。
【請求項５１】
当該市場エンジンを演算するプログラム・ステップが、さらに、
当該有効オーダ群に表されている、市場インターバルに対する市場・ポジションを一致させるプログラム・ステップと、
当該有効オーダ群に表されている、市場インターバルに対する市場価格を調整するプログラム・ステップと、
当該有効オーダ群に表されている、市場インターバルに対する市場・エクスポージャーを計算するプログラム・ステップと、
当該有効オーダ群における当該有効オーダを、カレンダーに乗せるプログラム・ステップと、
当該有効オーダ群における当該有効オーダを、取引・データベースに記録するプログラム・ステップとを、
有する請求項48のシステム。
【請求項５２】
当該有効オーダを当該取引・データベースに記録するプログラム・ステップが、さらに、
当該認証されたクライアントに関わりかつ当該有効オーダ群の当該市場インターバルを含む全ての有効オーダ群に基づいて、当該認証されたクライアント群中の、各当該認証されたクライアントに対する、当該市場インターバルに対する、契約されたポジションを当該取引・データベースに記録するプログラム・ステップを有する請求項51のシステム。
【請求項５３】
当該有効オーダを当該取引・データベースに記録するプログラム・ステップが、さらに、
当該有効オーダ群に当該市場インターバルを有する全有効オーダに基づいて、市場インターバルに対する当該市場価格を、当該取引・データベースに記録するプログラム・ステップと、
当該有効オーダ群に当該市場インターバルを有する全有効オーダに基づいて、市場インターバルに対する市場量を、当該取引・データベースに記録するプログラム・ステップと、
当該有効オーダ群に当該市場インターバルを含み当該認証されたクライアントを有する全有効オーダに基づいて、当該認証されたクライアント群中の各当該認証されたクライアントに対する市場インターバルに対するマージナル・フィナンシャル・エクスポージャーを、当該取引・データベースに記録するプログラム・ステップとを、
有するプログラム・ステップ群の内の少なくとも一つのプログラム・ステップを有する請求項52のシステム
【請求項５４】
当該市場インターバル群を維持するプログラム・ステップが、さらに、
トランスファ・タイム・インターバル内で、当該ソース市場インターバルから当該配送市場インターバルまでの、当該製品タイプに対する当該アクティブ認証されたクライアントからの要求に基づいて、当該マクロ市場インターバルを作成するプログラム・ステップを有し、
当該マクロ市場インターバルを作成するプログラム・ステップが、さらに、
当該トランスファ・タイム・インターバル内で、当該ソース市場から当該配送市場へ、当該製品タイプに対するトランスファ・インターバル要求を当該市場メーカにより認証されたクライアントに送り、トランスファ市場作成要求を作成するプログラム・ステップと、
当該トランスファ市場作成要求に基づいて、当該市場メーカにより認証されたクライアントからトランスファ市場応答を受領するプログラム・ステップと、
当該トランスファ市場応答に基づいて、当該トランスファ市場インターバルを生成するプログラム・ステップと、
当該マクロ市場インターバル中の当該トランスファ市場インターバルを参照するプログラム・ステップとを、
有する請求項48のシステム。
【請求項５５】
全てが、少なくとも一つの区別できない非短寿命商品を有する取引をサポートする認証されたクライアント群に属している、少なくとも、第一のアクティブ認証されたクライアントと、第二のアクティブ認証されたクライアントと、市場メーカが認証したクライアントと、相互に対話するシステムであって、
少なくとも、当該第一のアクティブ認証されたクライアントと、当該第二のアクティブ認証されたクライアントと、当該市場メーカにより認証されたクライアントと相互に対話し、かつそのコンピュータ・システムに含まれる、少なくとも一つのコンピュータにアクセスできるように結合されたメモリ内に含まれるプログラム・ステップを有する、少なくとも一つのプログラム・システムにより制御されるコンピューティング・システムを有し、かつ、
製品タイプのマクロ市場インターバルが、当該製品タイプのソース市場インターバルを参照し、かつ当該製品タイプの配送市場インターバルを、当該製品タイプのトランスファ市場インターバルと共に、参照し、
当該トランスファ市場インターバルが、当該ソース市場インターバルに対するタイム・インターバル付近で始まる、タイム・インターバルを含み、かつ当該タイム・インターバルが、当該配送市場インターバルのタイム・インターバル付近で終わり、
当該プログラム・システムが、
当該マクロ市場およびソース市場インターバル、および当該配送市場インターバルおよび当該配送市場インターバルの観点から、当該アクティブ認証されたクライアントと相互に対話して、コミットメントを作成する仮想立会場を演算するプログラム・ステップを有し、
当該仮想立会場を演算するプログラム・ステップが、
少なくとも、ソース市場インターバルと、当該配送市場インターバルの市場インターバル群と、当該トランスファ市場インターバルとを維持するプログラム・ステップと、
当該マクロ市場インターバルの少なくとも一つと関連する、少なくとも一つの有効オーダの有効オーダ群を維持するプログラム・ステップと、
コミットメントリストに追加されべき合意された契約を作成する契約を行うステップであって、前記合意された契約が、有効オーダ群の少なくとも二つの有効オーダに基づいているプログラム・ステップとを有する、
システム。
【請求項５６】
当該プログラム・システムが、さらに、当該認証されたクライアント群に基づき、当該アクティブ認証されたクライアントを生成するログインプロセスを提供するプログラム・ステップを有する請求項55のシステム。
【請求項５７】
当該プログラム・システムが、さらに、
少なくとも二人のクライアントと通信するウエッブ・サイトを維持し、かつ、
さらに、当該クライアントと相互対話する、当該仮想立会場を用いて、市場ウインドウを維持するプログラム・ステップを有する請求項55のシステム。
【請求項５８】
当該市場エンジンを演算するプログラム・ステップが、さらに、
当該有効オーダ群に表されている、市場インターバルに対する市場・ポジションを一致させるプログラム・ステップと、
当該有効オーダ群に表されている、市場インターバルに対する市場価格を調整するプログラム・ステップと、
当該有効オーダ群に表されている、市場インターバルに対する市場・エクスポージャーを計算するプログラム・ステップと、
当該有効オーダ群における当該有効オーダを、カレンダーに乗せるプログラム・ステップと、
当該有効オーダ群における当該有効オーダを、取引・データベースに記録するプログラム・ステップとを、
有する請求項55のシステム。
【請求項５９】
当該有効オーダを当該取引・データベースに記録するプログラム・ステップが、さらに、
当該認証されたクライアントに関わりかつ当該有効オーダ群の当該市場インターバルを含む全ての有効オーダ群に基づいて、当該認証されたクライアント群中の、各当該認証されたクライアントに対する、当該市場インターバルに対する、契約されたポジションを当該取引・データベースに記録するプログラム・ステップを有する請求項58のシステム。
【請求項６０】
当該有効オーダを当該取引・データベースに記録するプログラム・ステップが、さらに、
当該有効オーダ群に当該市場インターバルを有する全有効オーダに基づいて、市場インターバルに対する当該市場価格を、当該取引・データベースに記録するプログラム・ステップと、
当該有効オーダ群に当該市場インターバルを有する全有効オーダに基づいて、市場インターバルに対する市場量を、当該取引・データベースに記録するプログラム・ステップと、
当該有効オーダ群に当該市場インターバルを含み当該認証されたクライアントを有する全有効オーダに基づいて、当該認証されたクライアント群中の各当該認証されたクライアントに対する市場インターバルに対するマージナル・フィナンシャル・エクスポージャーを、当該取引・データベースに記録するプログラム・ステップとを、
有するプログラム・ステップ群の内の少なくとも一つのプログラム・ステップを有する請求項59のシステム
【請求項６１】
当該市場インターバル群を維持するプログラム・ステップが、さらに、
トランスファ・タイム・インターバル内で、当該ソース市場インターバルから当該配送市場インターバルまでの、当該製品タイプに対する当該アクティブ認証されたクライアントからの要求に基づいて、当該マクロ市場インターバルを作成するプログラム・ステップを有し、
当該マクロ市場インターバルを作成するプログラム・ステップが、さらに、
当該トランスファ・タイム・インターバル内で、当該ソース市場から当該配送市場へ、当該製品タイプに対するトランスファ・インターバル要求を当該市場メーカにより認証されたクライアントに送り、トランスファ市場作成要求を作成するプログラム・ステップと、
当該トランスファ市場作成要求に基づいて、当該市場メーカにより認証されたクライアントからトランスファ市場応答を受領するプログラム・ステップと、
当該トランスファ市場応答に基づいて、当該トランスファ市場インターバルを生成するプログラム・ステップと、
当該マクロ市場インターバル中の当該トランスファ市場インターバルを参照するプログラム・ステップとを、
有する請求項55のシステム。
【請求項６２】
全てが、少なくとも一つの区別できない非短寿命商品を有する取引をサポートする認証されたクライアント群に属している、少なくとも、第一のアクティブ認証されたクライアントと、第二のアクティブ認証されたクライアントと、市場メーカが認証したクライアントと、相互に対話するシステムであって、
少なくとも、当該第一のアクティブ認証されたクライアントと、当該第二のアクティブ認証されたクライアントと、当該市場メーカにより認証されたクライアントと相互に対話し、かつそのコンピュータ・システムに含まれる、少なくとも一つのコンピュータにアクセスできるように結合されたメモリ内に含まれるプログラム・ステップを有する、少なくとも一つのプログラム・システムにより制御されるコンピューティング・システムを有し、かつ、
製品タイプに対するマクロ市場インターバルが、当該製品タイプのソース市場インターバルをソース・ロケーションにより参照し、かつ当該製品タイプの配送市場インターバルを配送ロケーションにより、参照し、かつ当該製品タイプのトランスファ市場インターバルをタイム・インターバルにより、参照し、
当該プログラム・システムが、
当該マクロ市場およびソース市場インターバル、および当該配送市場インターバルおよび当該配送市場インターバルの観点から、当該アクティブ認証されたクライアントと相互に対話して、コミットメントを作成する仮想立会場を演算するプログラム・ステップと、
当該認証されたクライアント群に属する、少なくとも一人の当該認証されたクライアントに対する、当該コミットメントに基づいて、少なくとも一つのスケジュールを提供するスケジューリング・エンジンを演算するプログラム・ステップとを有し、
当該スケジューリング・エンジンを演算するプログラム・ステップが、当該認証されたクライアント群に属する各当該認証されたクライアントに対して、さらに、
当該コミットメントに関して、当該認証されたクライアントに対して、スケジューリング・コミットメント・アクセス要求を送るプログラム・ステップと、
当該コミットメントに基づいて、当該スケジューリング・コミットメント・アクセス要求に応答して、スケジューリング・コミットメント報告を受領し、当該認証されたクライアントに対する受領スケジューリング・コミットメント報告を作成するプログラム・ステップと、
受領スケジューリング・コミットメント・アクセス報告がスケジューリングを要求するコミットメントを参照する時には常に、当該認証されたクライアントに対する受領スケジューリング・コミットメント報告に基づき、        当該認証されたクライアントに対する当該スケジュールを生成するプログラム・ステップとを有し、
当該仮想立会場を演算するプログラム・ステップが、
少なくとも、ソース市場インターバルと、当該配送市場インターバルの市場インターバル群と、当該トランスファ市場インターバルとを維持するプログラム・ステップと、
当該マクロ市場インターバルの少なくとも一つと関連する、少なくとも一つの有効オーダの有効オーダ群を維持するプログラム・ステップと、
コミットメントリストに追加されべき合意された契約を作成する契約を行うステップであって、前記合意された契約が、有効オーダ群の少なくとも二つの有効オーダに基づいているプログラム・ステップとを、
有するシステム。
【請求項６３】
当該プログラム・システムが、さらに、当該認証されたクライアント群に基づき、当該アクティブ認証されたクライアントを生成するログインプロセスを提供するプログラム・ステップを有する請求項62のシステム。
【請求項６４】
当該プログラム・システムが、さらに、
少なくとも二人のクライアントと通信するウエッブ・サイトを維持し、かつ、
さらに、当該クライアントと相互対話する、当該仮想立会場を用いて、市場ウインドウを維持するプログラム・ステップを有する請求項62のシステム。
【請求項６５】
当該スケジューリング・エンジンを演算するプログラム・ステップが、さらに、当該市場エンジンと相互対話して、容量オプション要求を処理するプログラム・ステップを有する請求項62のシステム。
【請求項６６】
当該容量オプション要求を処理するプログラム・ステップが、さらに、
当該容量オプション要求を当該第一のアクティブ認証されたクライアントからオペレータの承認と共に受領し、当該第一のアクティブ認証されたクライアントから受領された容量オプション要求を作成するプログラム・ステップと、
当該受領された容量オプション要求に基づいて、当該有効オーダ群にアクセスし、当該受領された容量オプション要求とマッチングする当該有効オーダ群に含まれる、各当該有効オーダへの参照を有する容量オプション・オファ・リストを作成するプログラム・ステップと、
当該容量オプション・オファ・リストを処理するプログラム・ステップとを、
有する請求項65のシステム。
【請求項６７】
当該容量オファ・リストを処理するプログラム・ステップが、さらに、当該第一のアクティブ認証されたクライアントに、当該容量オファ・リストを提示するプログラム・ステップを有する請求項66のシステム。
【請求項６８】
当該受領された容量オプション要求が、市場インターバルを含み、希望売値-リミット量を含み、希望売値-リミット価格を有し、
当該容量オファ・リストを処理するプログラム・ステップが、さらに、
当該市場インターバルに基づいて、当該希望売値-リミット量に基づいて、当該希望売値-リミット価格に基づいて、当該容量オファ・リストを検査し、受け入れ可能オファ容量リストを作成し、潜在的に適格なオファ容量リストを作成するプログラム・ステップと、
当該希望売値-リミット量に基づいて、当該希望売値-リミット価格に基づいて、当該仮想立会場に、当該受け入れ可能オファ容量リストを求め、当該第一のアクティブ認証されたクライアントに対し当該市場インターバルに、希望売値有効オーダを作成するプログラム・ステップと、
当該受け入れ可能オファ容量リストが当該希望売値-リミット価格をカバーしない時には常に、当該潜在的に適格なオファ容量リストを当該第一のアクティブ認証されたクライアントに提示するプログラム・ステップとを、有する請求項66のシステム。
【請求項６９】
当該市場エンジンを演算するプログラム・ステップが、さらに、
当該有効オーダ群に表されている、市場インターバルに対する、市場・ポジションを一致させるプログラム・ステップと、
当該有効オーダ群に表されている、市場インターバルに対する、市場価格を調整するプログラム・ステップと、
当該有効オーダ群に表されている、市場インターバルに対する、市場・エクスポージャーを計算するプログラム・ステップと、
当該有効オーダ群における、当該有効オーダをカレンダーに乗せるプログラム・ステップと、
当該有効オーダ群における、当該有効オーダを取引・データベースに記録するプログラム・ステップとを、
有する請求項62の方法。
【請求項７０】
当該有効オーダを当該取引・データベースに記録するステップが、さらに、
当該認証されたクライアントに関わりかつ当該有効オーダ群の当該市場インターバルを有する、全ての有効オーダ群に基づいて、当該認証されたクライアント群中の各当該認証されたクライアントに対する、当該市場インターバルに対する、契約されたポジションを当該取引・データベースに記録するステップを有する請求項69の方法。
【請求項７１】
当該有効オーダを当該取引・データベースに記録するステップが、さらに、
当該有効オーダ群に当該市場インターバルを有する全有効オーダに基づいて、市場インターバルに対する当該市場価格を、当該取引・データベースに記録するステップと、
当該有効オーダ群に当該市場インターバルを有する全有効オーダに基づいて、市場インターバルに対する市場量を、当該取引・データベースに記録するステップと、
当該有効オーダ群に当該市場インターバルを含み当該認証されたクライアントを有する全有効オーダに基づいて、当該認証されたクライアント群中の各当該認証されたクライアントに対する市場インターバルに対するマージナル・フィナンシャル・エクスポージャーを、当該取引・データベースに記録するステップとを、
有するプログラム・ステップ群の内の少なくとも一つのステップを有する請求項70のシステム。
【請求項７２】
当該市場インターバル群を維持するステップが、さらに、
トランスファ・タイム・インターバル内で、当該ソース市場インターバルから当該配送市場インターバルまでの、当該製品タイプに対する当該アクティブ認証されたクライアントからの要求に基づいて、当該マクロ市場インターバルを作成するステップを有し、
当該マクロ市場インターバルを作成するステップが、さらに、
当該トランスファ・タイム・インターバル内で、当該ソース市場から当該配送市場へ、当該製品タイプに対するトランスファ・インターバル要求を当該市場メーカにより認証されたクライアントに送り、トランスファ市場作成要求を作成するステップと、
当該トランスファ市場作成要求に基づいて、当該市場メーカにより認証されたクライアントからトランスファ市場応答を受領するステップと、
当該トランスファ市場応答に基づいて、当該トランスファ市場インターバルを生成するステップと、
当該マクロ市場インターバル中の当該トランスファ市場インターバルを参照するステップとを、
有する請求項62の方法。
【手続補正２】
【補正対象書類名】明細書
【補正対象項目名】０２０７
【補正方法】変更
【補正の内容】
【０２０７】
矢印2170は、スタート演算2142から演算2172までの実行の流れを示す。演算2172は、有効オーダ群から第一の指値有効オーダを取り除き、有効オーダから第一の指値有効オーダを除去するステップを有する。矢印2174は、演算2172から演算2176までの実行を示す。演算2176は、このフローチャートのステップを終了させる。


【手続補正３】
【補正対象書類名】明細書
【補正対象項目名】０２１９
【補正方法】変更
【補正の内容】
【０２１９】
矢印2270は、スタート演算2092から演算2272への実行の流れを示す。演算2272は、第一の指値有効オーダから抽出し、指値認証されたクライアントを作成することを実行している。矢印2274は、演算2272から演算2276への実行の流れを示す。演算2276は、希望売値有効オーダから抽出し、指値認証されたクライアントを作成することを実行している。矢印2278は、演算2276から演算2280への実行の流れを示す。演算2280は、合意された契約に基づき、指値契約メッセージを指値クライアントへ送ることを実行している。矢印2282は、演算2280から演算2284への実行の流れを示す。演算2284は、合意された契約に基づき、希望売値契約メッセージを希望売値クライアントへ送ることを実行している。矢印2286は、演算2284から演算2288への実行の流れを示す。演算2288は、本フローチャートの演算を終了させる。これらの演算は、短寿命で、区別できない商品の仮想立会場をサポートする、コンピューティング・システムの少なくとも一つのコンピュータに結合されているコンピュータ読み取り可能メモリ内に存在する、プログラム・ステップにより、サポートされる。
【手続補正４】
【補正対象書類名】明細書
【補正対象項目名】０２３２
【補正方法】変更
【補正の内容】
【０２３２】
矢印2370は、スタート演算2120から演算2372への実行の流れを示す。演算2372は、価格およびオプション価格の観点で、第一の指値有効オーダが第一の希望売値有効オーダと一致するときは常に、合意価格における市場インターバルに対して合意された契約および合意量に対する合意オプション価格を作成することを実行している。矢印2374は、演算2372から演算2376への実行の流れを示す。演算2376は、本フローチャートの演算を終了させる。


【手続補正５】
【補正対象書類名】明細書
【補正対象項目名】０２３８
【補正方法】変更
【補正の内容】
【０２３８】
図17は、本発明のある実施例に従った、セッション・コンポーネント3300、参加者コンポーネント3320、市場セグメント3340を含む、クライアント1400と仮想立会場間の相互対話を制御する方法を示す。セッション・コンポーネント3300を維持することは、次のことを含む：クライアント2190からオーダ要求メッセージ3302を受領する。参加者コンポーネント3320に受け取ったオーダ要求メッセージ3322を送り、参加者コンポーネントに対する転送オーダ要求メッセージを作成する。有効オーダ要求メッセージおよび有効オーダ要求メッセージに対して、関連するクライアント・リスト・メッセージに基づき、受取通知を受領する3324。受け取った受取通知および有効オーダ要求メッセージに対して、関連するクライアント・リストを処理し、有効オーダ要求メッセージに対するブロードキャスト更新メッセージを作成する。関連クライアント・リストの各クライアント2190にブロードキャスト更新メッセージ3304を送る。


【手続補正６】
【補正対象書類名】明細書
【補正対象項目名】０２４５
【補正方法】変更
【補正の内容】
【０２４５】
仮想取引機構データベースは、仮想取引機構により、市場・コンフィギュレーションおよび参加者コンフィギュレーションに対する、読み出し可能データベース3360を含むであろう。決済およびスケジューリングのデータベースは、本発明のある実施例では、仮想取引機構により直接アクセスされることはないであろう。
図18Aは、さらにスケジューリング・エンジンを演算する、図4Aの演算6022の詳細フローチャートを示す。矢印6110は、開始演算6022から演算6112への実行の流れを示す。演算6112は、認証されたクライアントへのコミットメントに基づいて、スケジューリング・コミットメント報告を生成する。矢印6114は、演算6112から演算6612までの実行を示す。矢印1170は、開始演算6022から演算1172までの実行の流れを示す。演算1172は、スケジューリング・コミットメント・アクセス報告が、スケジューリングを必要とするコミットメントを参照する時には常に、スケジューリング・コミットメント報告に基づいて、認証されたクライアントに対してスケジュールを提供する。矢印1174は、演算1172から演算6612への演算の実行を示す。演算6612は、このフローチャートの演算を終了させる。
図18Bは、さらに有効オーダ群を提示する、図4Bの演算6052の詳細フローチャートを示す。矢印6130は、開始演算6052から演算6132までの実行の流れを示す。演算6132は、第一のアクティブ認証されたクライアントへのマクロ市場に基づいて、少なくとも一つの有効オーダ群の構成要素を受け入れる新たな有効オーダを作成するために、マクロ市場インターバルに基づいて有効オーダ群の構成要素を提示する。矢印6134は、演算6132から演算6136までの実行を示す。演算6612は、このフローチャートの演算を終了させる。
図19Aは、さらに有効オーダ群を提示する、図18Bの演算6232の詳細フローチャートを示す。矢印6170は、開始演算6132から演算6172までの実行の流れを示す。演算6172は、第一の新たな有効オーダを作成するために、ビジネス・ロケーションへの当該トランスファ市場インターバルに対する有効オーダ群の構成要素の一つの希望売値価格だけ増大した、元の市場インターバルに対する有効オーダの各希望売値価格に対する価格を提示する。矢印6174は、開始演算6172から演算6176までの実行の流れを示す。矢印6180は、開始演算6132から演算6182までの実行の流れを示す。演算6182は、第二の新たな有効オーダを作成するために、ビジネス・ロケーションからのトランスファ市場インターバルに対する有効オーダ群の少なくとも一つの構成要素の希望売値価格だけ減少した、配送市場インターバルに対する有効オーダの各指値に対する価格を提示する。矢印6184は、演算6182から演算6176までの実行を示す。演算6176は、このフローチャートの演算を終了させる。
図19Bは、第一の新たな有効オーダに関する図19Aの詳細を示す。第一の新たな有効オーダ6300は、元の市場インターバルに対する有効オーダの少なくとも一つの希望価格を受け入れる指値6310と、ビジネス・ロケーションへのトランスファ市場インターバルに対する有効オーダ群の構成要素の少なくとも一つの希望価格を受け入れる指値6320とから成る。
図19Cは、第二の新たな有効オーダに関する図19Aの詳細を示す。第二の新たな有効オーダ6400は、配送市場インターバルに対する少なくとも一つの有効オーダの指値を受け入れる希望売値6410と、ビジネス・ロケーションからのトランスファ市場インターバルに対する有効オーダ群の構成要素の指値価格を受け入れる希望売値6420とから成る。
図20Aは、図1の詳細フローチャート6000を示す。矢印6200は、開始演算6000から演算6212までの実行の流れを示す。演算6202は、認証されたクライアント群に基づいてアクティブ認証されたクライアントを作成するログイン・プロセスを提供する。矢印6204は、演算6202から演算6206までの実行を示す。矢印6210は、開始演算6000から演算6212までの実行の流れを示す。矢印6212は、少なくとも二人のクライアントと通信するウェブ・サイトを維持する。矢印6214は、演算6212から演算6206までの実行を示す。演算6206は、このフローチャートの演算を終了させる。
図20Bは、さらにウェブ・サイトを維持する、図20Aの演算6212の詳細フローチャートを示す。矢印6230は、開始演算6212から演算6232までの実行の流れを示す。演算6232は、少なくとも二人のクライアントと相互対話する仮想立会場を用いて、市場ウインドウを維持する。矢印6234は、演算6232から演算6236までの実行を示す。矢印6240は、開始演算6212から演算6242までの実行の流れを示す。演算6242は、スケジューリング・エンジンと相互対話する少なくとも一人のクライアントに対してスケジュラー・ウインドウを提供する。矢印6244は、演算6242から演算6236までの実行を示す。演算6236は、このフローチャートの演算を終了させる。
図21Aは、市場インターバル群内の各市場インターバルの市場価格を計算する、図4Bの演算2004の詳細フローチャートを示す。矢印2450は、開始演算2004から演算2452までの実行の流れを示す。演算2452は、トランスファ・タイム・インターバル内での、ソース市場インターバルから配送市場インターバルまでの、製品タイプに対するアクティブ認証されたクライアントからの要求に基づいて、マクロ市場インターバルを作成する。矢印2454は、演算2452から演算2456までの実行を示す。演算2456は、このフローチャートの演算を終了させる。
図21Bは、図21Aの演算2452の詳細フローチャートを示す。矢印2470は、開始演算2452から演算2472までの実行の流れを示す。演算2472は、受領トランスファ市場作成要求を作成するために、トランスファ・タイム・インターバル内での、元の市場から配送市場への、製品タイプの市場インターバルのトランスファに対する要求を、アクティブ認証されたクライアントから受領する。矢印2474は、演算2472から演算2476までの実行を示す。演算2476は、トランスファ・タイム・インターバル内での、元の市場から配送市場への、製品タイプに対するトランスファ・インターバル要求を、市場メーカにより認証されたクライアントに送る。矢印2478は、演算2476から演算2480までの実行を示す。演算2480は、トランスファ市場生成要求に基づいて、市場メーカにより認証されたクライアントからトランスファ市場応答を受領する。矢印2482は、演算2480から演算2484までの実行を示す。演算2484は、トランスファ市場応答に基づいて、トランスファ市場インターバルを作成する。矢印2486は、演算2484から演算2488までの実行を示す。演算2488は、このフローチャートの演算を終了させる。
【手続補正７】
【補正対象書類名】明細書
【補正対象項目名】図１８Ａ
【補正方法】追加
【補正の内容】
【図１８Ａ】少なくとも一人の認証されたクライアントに対するコミットメントに基づいて、少なくとも一つのスケジュールを提供するスケジューリング・エンジンを演算する図4Aの演算6022の詳細フローチャートを示す。
【手続補正８】
【補正対象書類名】明細書
【補正対象項目名】図１８Ｂ
【補正方法】追加
【補正の内容】
【図１８Ｂ】マクロ市場に基づいて有効オーダ群の構成要素を受け入れる新たな有効オーダを作成するために、マクロ市場インターバルに基づいて有効オーダ群の構成要素を提示する、図4Bの演算6052の詳細フローチャートを示す。
【手続補正９】
【補正対象書類名】明細書
【補正対象項目名】図１９Ａ
【補正方法】追加
【補正の内容】
【図１９Ａ】第一のアクティブ認証されたクライアントへのマクロ市場に基づいて、少なくとも１つの有効オーダ群の構成要素を受け入れる新たな有効オーダを作成するために、マクロ市場インターバルに基づいて有効オーダ群の構成要素を提示する、図18Bの演算6132の詳細フローチャートを示す。
【手続補正１０】
【補正対象書類名】明細書
【補正対象項目名】図１９Ｂ
【補正方法】追加
【補正の内容】
【図１９Ｂ】第一の新たな有効オーダに関する図19Aの詳細を示す。
【手続補正１１】
【補正対象書類名】明細書
【補正対象項目名】図１９Ｃ
【補正方法】追加
【補正の内容】
【図１９Ｃ】第二の新たな有効オーダに関する図19Aの詳細を示す。
【手続補正１２】
【補正対象書類名】明細書
【補正対象項目名】図２０Ａ
【補正方法】追加
【補正の内容】
【図２０Ａ】アクティブ認証されたクライエントの作成方法を実行する、図1のプログラム・システム6000の詳細フローチャートを示す。
【手続補正１３】
【補正対象書類名】明細書
【補正対象項目名】図２０Ｂ
【補正方法】追加
【補正の内容】
【図２０Ｂ】少なくとも二人のクライエントと相互対話する仮想立会場を用いて市場ウインドウを維持する、図20Aの演算6212の詳細フローチャートを示す。
【手続補正１４】
【補正対象書類名】明細書
【補正対象項目名】図２１Ａ
【補正方法】追加
【補正の内容】
【図２１Ａ】少なくとも、元の市場インターバルと、市場インターバルの発送と、トランスファ市場インターバルとの市場インターバル群を維持する、図4Bの演算2004の詳細フローチャートを示す。
【手続補正１５】
【補正対象書類名】明細書
【補正対象項目名】図２１Ｂ
【補正方法】追加
【補正の内容】
【図２１Ｂ】トランスファ・タイム・インターバル内での、元の市場インターバルから配送市場インターバルへの、製品タイプに対するアクティブ認証されたクライアントからの要求に基づいて、トランスファ市場インターバルを作成する、図21Aの演算2452の詳細フローチャートを示す。
【手続補正１６】
【補正対象書類名】図面
【補正対象項目名】図１４Ｂ
【補正方法】変更
【補正の内容】
【図１４Ｂ】
2003534611.tif 000001
【手続補正１７】
【補正対象書類名】図面
【補正対象項目名】図１９Ａ
【補正方法】変更
【補正の内容】
【図１９Ａ】
2003534611.tif 000002